(57)【要約】【課題】  送電装置からの受電電力量に応じて、適切な放送受信の形態で動作することが可能な放送受信装置及びその制御方法を提供する。【解決手段】  本発明の放送受信装置において、電力比較部１１０は、受電部１０８による受電電力量を閾値Ｖ１，Ｖ２と比較して、比較結果を示す情報を制御部１１１に伝える。制御部１１１は、電力比較部１１０による比較結果を示す情報に基づき、電源供給部１０９の電源スイッチをＯＮ／ＯＦＦ制御する指示を出し、チューナ部１０２，１０３の電源ＯＮ／ＯＦＦ制御を行う。電源供給部１０９は、受電部１０８で受電された電力を受け、制御部１１１からの指示に従って、チューナ部１０２，１０３および電源が必要な各ブロックへ供給する。【選択図】  図１
2011109328.tif 000002
【特許請求の範囲】
【請求項１】
送電装置から非接触電力伝送方式で送電された電力で駆動する放送受信装置であって、
第１の放送信号を受信する第１の放送受信手段と、
第２の放送信号を受信する第２の放送受信手段であり、前記第１の放送受信手段よりも消費電力の小さな第２の放送受信手段と、
前記送電装置から非接触電力伝送方式で送電された電力を受電する受電手段と、
前記受電手段による単位時間当たりの受電電力量を予め定められた閾値と比較し、比較結果を示す情報を出力する電力比較手段と、
前記比較結果を示す情報に基づいて、前記受電電力量が前記閾値以上の場合は、前記受電手段による受電電力を前記第２の放送受信手段には供給せずに前記第１の放送受信手段に供給し、前記受電電力量が前記閾値未満の場合は、前記受電手段による受電電力を前記第１の放送受信手段には供給せずに前記第２の放送受信手段に供給するように、受電電力の供給制御を行う制御手段とを備える放送受信装置。
【請求項２】
さらに、前記第１および第２の放送受信手段により受信された前記第１および第２の放送信号から、前記第１および第２の放送信号で送信される番組コンテンツの番組情報を取得して保持する番組情報記憶手段を備え、
前記制御手段は、前記受電電力量が前記閾値未満の状態から前記閾値以上の状態へ変化した場合に、前記第１の放送受信手段への受電電力の供給を開始するとともに、前記第２の放送受信手段への受電電力の供給を停止し、前記第２の放送受信手段により受信されていた番組コンテンツと同じ内容の番組コンテンツを前記第１の放送受信手段で受信するように、前記第１の放送受信手段を制御することを特徴とする請求項１に記載の放送受信装置。
【請求項３】
前記制御手段は、前記受電電力量が前記閾値未満の状態から前記閾値以上の状態へ変化した場合に、前記第２の放送受信手段により受信されていた番組コンテンツと同じ内容の番組コンテンツを前記第１の放送受信手段で受信できない場合は、前記受電手段による受電電力を前記第１の放送受信手段には供給せずに前記第２の放送受信手段に供給し続けることを特徴とする請求項２に記載の放送受信装置。
【請求項４】
さらに、前記第１および第２の放送受信手段により受信された前記第１および第２の放送信号から、前記第１および第２の放送信号で送信される番組コンテンツの番組情報を取得して保持する番組情報記憶手段を備え、
前記制御手段は、前記受電電力量が前記閾値以上の状態から前記閾値未満の状態へ変化した場合に、前記第１の放送受信手段への受電電力の供給を停止するとともに、前記第２の放送受信手段への受電電力の供給を開始し、前記第１の放送受信手段により受信されていた番組コンテンツと同じ内容の番組コンテンツを前記第２の放送受信手段で受信するように、前記第２の放送受信手段を制御することを特徴とする請求項１に記載の放送受信装置。
【請求項５】
前記制御手段は、前記受電電力量が前記閾値以上の状態から前記閾値未満の状態へ変化した場合に、前記第１の放送受信手段により受信されていた番組コンテンツと同じ内容の番組コンテンツを前記第２の放送受信手段で受信できない場合は、前記受電手段による受電電力を前記第１および第２の放送受信手段のいずれにも供給しないように、受電電力の供給制御を行うことを特徴とする請求項４に記載の放送受信装置。
【請求項６】
前記第１の放送信号はデジタル放送信号であり、かつ、前記第１の放送受信手段は前記デジタル放送に対応したチューナモジュールであり、
前記第２の放送信号はワンセグ放送信号であり、かつ、前記第２の放送受信手段は前記ワンセグ放送に対応したチューナモジュールであることを特徴とする請求項１から請求項５までのいずれか１項に記載の放送受信装置。
【請求項７】
第１の放送信号を受信する第１の放送受信手段と、第２の放送信号を受信する第２の放送受信手段であり、前記第１の放送受信手段よりも消費電力の小さな第２の放送受信手段とを備え、送電装置から非接触電力伝送方式で送電された電力で駆動する放送受信装置の制御方法であって、
前記送電装置から非接触電力伝送方式で送電された電力を受電する受電ステップと、
前記受電ステップによる単位時間当たりの受電電力量を予め定められた閾値と比較し、比較結果を示す情報を出力する電力比較ステップと、
前記比較結果を示す情報に基づいて、前記受電電力量が前記閾値以上の場合は、前記受電ステップによる受電電力を前記第２の放送受信手段には供給せずに前記第１の放送受信手段に供給し、前記受電電力量が前記閾値未満の場合は、前記受電ステップによる受電電力を前記第１の放送受信手段には供給せずに前記第２の放送受信手段に供給するように、受電電力の供給制御を行う制御ステップとを備える放送受信装置の制御方法。
【発明の詳細な説明】
【技術分野】
【０００１】
本発明は、送電装置から非接触電力伝送方式で送電された電力で駆動する放送受信装置及びその制御方法に関する。
【背景技術】
【０００２】
従来より、設置場所の制限が少なくユーザの利便性が高いことから、電磁誘導や電磁波等を利用した非接触電力伝送方式（金属接点やコネクタ等を介さずに電力を伝送する方式）の受電機能を持つ放送受信装置が研究開発されている。近年では、数ＭＨｚオーダーで振動する磁界の共振現象を電力送信に用いて効率的にエネルギーを伝えることで、６０Ｗの電力を２ｍ程離れた距離まで伝送する技術も研究されている。
【０００３】
下記の特許文献１には、１台の送電装置の送電電力を受電装置側の機器の定格電力に適合するように調整することが可能な無接点電力伝送（非接触電力伝送）システムが開示されている。また、特許文献２には、装置の使用状況に応じて最適な電力を無線にて伝送することができる無線伝送システムが開示されている。
【０００４】
下記の特許文献３には、１セグ放送信号と１２セグ放送信号を切り換えて表示可能な放送受信装置において、バッテリーの電力残量が所定量以下になった場合に、１セグ放送信号の放送コンテンツを表示させる技術が開示されている。
【先行技術文献】
【特許文献】
【０００５】
【特許文献１】特開２００８―２０６３２７号公報
【特許文献２】特開２００６―１９７７３４号公報
【特許文献３】特開２００８―２７８０８４号公報
【発明の概要】
【発明が解決しようとする課題】
【０００６】
上述の特許文献３に開示の技術は、バッテリーで駆動される放送受信装置に関するものである。一方、非接触電力伝送方式の場合、電力供給源と放送受信装置との距離や、装置の向き、装置間に存在する障害物等により電力供給源から受電する電力量が増減するおそれがある。ここで、電力供給源から受電する電力量が放送受信装置の消費電力量よりも小さくなってしまうと、放送受信装置のシステムが急にダウンしてしまうという問題があった。
【０００７】
そこで、本発明は、送電装置からの受電電力量に応じて、適切な放送受信の形態で動作することが可能な放送受信装置及びその制御方法を提供することを目的とする。
【課題を解決するための手段】
【０００８】
上述した課題を解決するために、本発明に係る放送受信装置は、送電装置から非接触電力伝送方式で送電された電力で駆動する放送受信装置であって、第１の放送信号を受信する第１の放送受信手段と、第２の放送信号を受信する第２の放送受信手段であり、第１の放送受信手段よりも消費電力の小さな第２の放送受信手段と、送電装置から送電された電力を受電する受電手段と、受電手段による単位時間当たりの受電電力量を予め定められた閾値と比較し、比較結果を示す情報を出力する電力比較手段と、比較結果を示す情報に基づいて、受電電力量が閾値以上の場合は、受電手段による受電電力を第２の放送受信手段には供給せずに第１の放送受信手段に供給し、受電電力量が閾値未満の場合は、受電手段による受電電力を第１の放送受信手段には供給せずに第２の放送受信手段に供給するように、受電電力の供給制御を行う制御手段とを備える。
【発明の効果】
【０００９】
本発明によれば、送電装置から非接触電力伝送方式で送電された電力で駆動する放送受信装置において、送電装置からの受電電力量に応じて受電電力の供給制御を行うことにより、適切な放送受信の形態で動作することが可能となる。
【図面の簡単な説明】
【００１０】
【図１】本発明の実施の形態１に係る放送受信装置および送電装置の構成を示すブロック図である。
【図２】消費電力量を示すテーブル、および制御テーブルを例示した図である。
【図３】図１に示した電力比較部および制御部の動作について説明するためのフローチャートである。
【図４】本発明の実施の形態２に係る放送受信装置の構成を示すブロック図である。
【図５】図４に示した電力比較部および制御部の動作について説明するためのフローチャートである。
【発明を実施するための形態】
【００１１】
（実施の形態１）
以下、図面を用いて本発明の実施の形態について説明する。
【００１２】
図１（Ａ）は、本発明の実施の形態１に係る放送受信装置１００の構成を示すブロック図、図１（Ｂ）は、本発明の実施の形態１に係る送電装置２００の構成を示すブロック図である。放送受信装置１００は、放送受信アンテナ１０１、チューナ部１０２，１０３、信号分離部１０４、映像デコーダ１０５、データ処理部１０６を備える。また、この放送受信装置１００は、受電アンテナ１０７、受電部１０８、電源供給部１０９、電力比較部１１０、制御部１１１、表示部１１２、リモコン受信部１１３、テーブル記憶部１１４およびメッセージ生成部１１５を備える。送電装置２００は、電源部２０１、送電部２０２および送電アンテナ２０３を備える。放送受信装置１００は、送電装置２００から非接触電力伝送方式で送電された電力で駆動するものとする。
【００１３】
本実施の形態では、チューナ部１０２（第１の放送受信手段）は地上デジタル放送に対応したチューナモジュールであり、チューナ部１０３（第２の放送受信手段）はワンセグ放送に対応したチューナモジュールであるものとして説明する。ただし、これに限定されるものではなく、チューナ部１０３の消費電力がチューナ部１０２の消費電力よりも低ければよい。例えば、衛星デジタル放送とワンセグ放送との組合せや、地上デジタル放送と衛星デジタル放送との組合せ、地上デジタル放送とインターネット放送との組合せ等であってもよい。
【００１４】
日本の地上デジタル放送では、１つのチャンネルの周波数帯域幅６ＭＨｚが１３個のセグメントに分かれた構造となっている。ハイビジョン（ＨＤ：Ｈｉｇｈ  Ｄｅｆｉｎｉｔｉｏｎ）放送には１２セグメント、標準画質（ＳＤ：Ｓｔａｎｄａｒｄ  Ｄｅｆｉｎｉｔｉｏｎ）放送には４セグメントが割り当てられている。また、モバイル端末（携帯電話機等）用に、１セグメントを割り当てて、低解像度のワンセグ放送が行われている。
【００１５】
チューナ部１０２は、放送受信アンテナ１０１を介して地上デジタル放送信号（第１の放送信号）を受信し、指定された周波数の信号を選局する処理、復調処理、誤り訂正処理を施して、ＴＳ（トランスポート・ストリーム）信号を出力する。チューナ部１０３は、放送受信アンテナ１０１を介して地上デジタル放送信号に含まれるワンセグ放送信号（第２の放送信号）を受信し、指定された周波数の信号を選局する処理、復調処理、誤り訂正処理を施して、ＴＳ（トランスポート・ストリーム）信号を出力する。なお、ユーザはリモコンを操作して起動指示や選局指示をすることができるものとする。リモコン受信部１１３は、リモコンからの指示信号を制御部１１１に伝達する。制御部１１１は、リモコンからの指示信号にしたがって、チューナ部１０２，１０３の選局制御を行う。
【００１６】
信号分離部１０４は、チューナ部１０２，１０３から出力されたＴＳ信号を、映像信号、音声信号、データ信号に分離する。この信号分離部１０４は、制御部１１１からの指示により、チューナ部１０２とチューナ部１０３のうちのいずれか一方の出力信号を選択して分離処理する。信号分離部１０４により分離された映像信号は映像デコーダ１０５に出力され、データ信号はデータ処理部１０６に出力される。なお、信号分離部１０４により分離された映像信号は、図示しない音声デコーダに出力される。
【００１７】
映像デコーダ１０５は、符号化された映像信号をデコード（復号化）する。具体的には、例えばＭＰＥＧ（Ｍｏｖｉｎｇ  Ｐｉｃｔｕｒｅ  Ｅｘｐｅｒｔｓ  Ｇｒｏｕｐ）―２規格により符号化された映像信号や、Ｈ．２６４規格により符号化された映像信号をデコードする。データ処理部１０６は、符号化されたデータ信号をデコード（復号化）する。具体的には、データ放送用データ、番組情報や字幕情報等のデータをデコードし、データ放送画面やＥＰＧ（Ｅｌｅｃｔｒｏｎｉｃ  Ｐｒｏｇｒａｍ  Ｇｕｉｄｅ：電子番組表）画面等を生成する。番組情報は、ＡＲＩＢ（電波産業会）の標準規格ＳＴＤ−Ｂ１０で規定されているＰＳＩ／ＳＩテーブルに記述されるＥＩＴに含まれる、番組名、放送日時、番組内容等の情報である。なお、ＥＩＴは、「Ｅｖｅｎｔ  Ｉｎｆｏｒｍａｔｉｏｎ  Ｔａｂｌｅ」の略称、ＰＳＩ／ＳＩは、「Ｐｒｏｇｒａｍ  Ｓｐｅｃｉｆｉｃ  Ｉｎｆｏｒｍａｔｉｏｎ  ／  Ｓｐｅｃｉｆｉｃ  Ｉｎｆｏｒｍａｔｉｏｎ」の略称である。
【００１８】
表示部１１２は、例えば１９２０×１０８０画素のＨＤ表示パネルを含み、映像デコーダ１０５によりデコードされた映像信号を表示する。また、データ処理部１０６により生成された各種画面をＯＳＤ（Ｏｎ  Ｓｃｒｅｅｎ  Ｄｉｓｐｌａｙ）表示する。
【００１９】
送電装置２００は、電源部２０１、送電部２０２および送電アンテナ２０３を備える。送電装置２００の電源プラグは、例えば壁に設置された電源コンセントに接続される。電源部２０１は、家庭に供給されている交流電力を送電部２０２に出力する。送電アンテナ２０３は、非接触電力伝送方式に対応したアンテナであり、例えばコイルとコンデンサからなるＬＣ共振回路を含む。送電部２０２は、電源部２０１から受けた交流電力を、受電アンテナ１０７で受電できる所定の共振周波数を用いて、非接触電力伝送方式で送電アンテナ２０３を介して送電する。
【００２０】
受電アンテナ１０７は、非接触電力伝送方式に対応したアンテナであり、例えばコイルとコンデンサからなるＬＣ共振回路を含む。受電アンテナ１０７の共振周波数は、送電アンテナ２０３と同じ共振周波数に合わせられるものとする。なお、送電・受電の構成については、上述の構成に限定されるものではなく、ケーブル等を用いないワイヤレス（無線）の非接触電力伝送方式であればどのような構成であってもよい。
【００２１】
受電部１０８は、受電アンテナ１０７を介して受電した電力を平滑化し、放送受信装置１００の各ブロックに必要な電力に変換して供給する。また、受電部１０８は、単位時間（例えば１秒）当たりの受電電力量を示す情報（受電電力量情報）を電力比較部１１０に送出する。受電アンテナ１０７で受電する電圧は、受電電力が大きいほど高くなる。よって、受電部１０８は、受電アンテナ１０７で受ける受電電圧から単位時間当たりの受電電力量を求めることができる。なお、受電部１０８は、送電装置２００から受電できる最大受電電力量情報を電力比較部１１０に送出するようにしてもよい。
【００２２】
図２（Ａ）は、チューナ部１０２，１０３の消費電力量を示すテーブル４００を例示した図、図２（Ｂ）は、受電電力量に応じてチューナ部１０２，１０３の動作状態を制御するための制御テーブル５００を例示した図である。これらのテーブル４００および制御テーブル５００は、テーブル記憶部１１４に予め格納される。図２（Ａ）に示すように、地上デジタル放送に対応したチューナ部１０２の消費電力は１Ｗ、ワンセグ放送に対応したチューナ部１０３の消費電力は０．１Ｗとする。チューナ部１０２，１０３を除くその他のブロックの消費電力は３Ｗとする。また、図２（Ｂ）に示すように、受電部１０８による受電電力量が３．１Ｗ未満である場合は、チューナ部１０２，１０３を電源ＯＦＦ状態にすべきであることが制御テーブル５００に規定されている。また、受電部１０８による受電電力量が３．１Ｗ以上４Ｗ未満である場合は、チューナ部１０２を電源ＯＦＦ状態かつチューナ部１０３を電源ＯＮ状態にし、４Ｗ以上である場合は、チューナ部１０２を電源ＯＮ状態かつチューナ部１０３を電源ＯＦＦ状態にすべきであることが制御テーブル５００に規定されている。
【００２３】
再び図１に戻り、電力比較部１１０は、受電部１０８から単位時間当たりの受電電力量を示す情報を受け取り、テーブル記憶部１１４に格納されている制御テーブル５００を参照して、受電電力量を閾値３．１Ｗおよび４Ｗと比較する。そして、比較結果を示す情報を制御部１１１に伝える。ここで、比較結果を示す情報とは、チューナ部１０２，１０３の電源ＯＮ／ＯＦＦ制御情報である。
【００２４】
制御部１１１は、電力比較部１１０による比較結果を示す情報に基づき、電源供給部１０９の電源スイッチをＯＮ／ＯＦＦ制御する指示を出し、チューナ部１０２，１０３の電源ＯＮ／ＯＦＦ制御を行う。このように、制御部１１１は、受電部１０８による受電電力の供給制御を行う。電源供給部１０９は、受電部１０８で受電された電力を受け、制御部１１１からの指示に従って、チューナ部１０２，１０３および電源が必要な各ブロックへ供給する。また、制御部１１１は、電力比較部１１０による比較結果に基づいて、メッセージ生成部１１５に対して各種メッセージを生成する指示を出す。メッセージ生成部１１５は、制御部１１１からの指示に従って各種メッセージを生成して表示部１１２に出力する。
【００２５】
次に、電力比較部１１０および制御部１１１の動作について詳細に説明する。図３は、電力比較部１１０および制御部１１１の動作について説明するためのフローチャートである。なお、図３に示す動作は、放送受信装置１００の電源起動時に実行されるものとして説明する。ただし、放送受信装置１００の電源起動後に所定時間間隔で繰り返し実行してもよいし、予め設定された時刻や、番組視聴開始時などの所定のタイミングで実行してもよい。
【００２６】
まず、ステップＳ３０１で、電力比較部１１０は、受電部１０８から単位時間当たりの受電電力量を示す情報を取得する。そして、ステップＳ３０２で、テーブル記憶部１１４に格納されている制御テーブル５００を参照して、受電電力量を閾値Ｖ２（＝４Ｗ）と比較する。ここで、受電電力量が閾値Ｖ２（＝４Ｗ）以上であると判定された場合は、ステップＳ３０３に進み、比較結果を示す情報として、チューナ部１０２を電源ＯＮ状態かつチューナ部１０３を電源ＯＦＦ状態にする制御情報を制御部１１１に伝える。制御部１１１は、電源供給部１０９に対して、チューナ部１０２を電源ＯＮ状態かつチューナ部１０３を電源ＯＦＦ状態にする指示を出し、受電電力の供給制御を行う。電源供給部１０９は、受電部１０８による受電電力をチューナ部１０２，１０３のうちチューナ部１０２のみに供給するように、電源スイッチをＯＮ／ＯＦＦ制御する。また、制御部１１１は、電源ＯＮ状態になったチューナ部１０２と、信号分離部１０４に対し、選局処理およびチューナの初期化を行うように制御する。これにより、チューナ部１０２で受信された地上デジタル放送信号に係る映像が表示部１１２に表示される。
【００２７】
ステップＳ３０２で、受電電力量が閾値Ｖ２（＝４Ｗ）未満であると判定された場合は、ステップＳ３０４に進む。ステップＳ３０４で、電力比較部１１０は、受電電力量を閾値Ｖ１（＝３．１Ｗ）と比較する。ここで、受電電力量が閾値Ｖ１（＝３．１Ｗ）以上であると判定された場合は、ステップＳ３０５に進み、比較結果を示す情報として、チューナ部１０２を電源ＯＦＦ状態かつチューナ部１０３を電源ＯＮ状態にする制御情報を制御部１１１に伝える。制御部１１１は、電源供給部１０９に対して、チューナ部１０２を電源ＯＦＦ状態かつチューナ部１０３を電源ＯＮ状態にする指示を出し、受電電力の供給制御を行う。電源供給部１０９は、受電部１０８による受電電力をチューナ部１０２，１０３のうちチューナ部１０３のみに供給するように、電源スイッチをＯＮ／ＯＦＦ制御する。また、制御部１１１は、電源ＯＮ状態になったチューナ部１０３と、信号分離部１０４に対し、選局処理およびチューナの初期化を行うように制御する。これにより、チューナ部１０３で受信されたワンセグ放送信号に係る映像が表示部１１２に表示される。
【００２８】
続いて、ステップＳ３０６で、制御部１１１は、電力比較部１１０による比較結果に基づいて、メッセージ生成部１１５に対して「受電電力が足りないため、地上デジタル放送を受信できません。ワンセグ放送を受信しています。」等のメッセージを生成する指示を出す。メッセージ生成部１１５は、制御部１１１からの指示に従って上記メッセージを生成して、表示部１１２に一定期間だけ出力する。
【００２９】
ステップＳ３０４で、受電電力量が閾値Ｖ１（＝３．１Ｗ）未満であると判定された場合は、ステップＳ３０７に進み、比較結果を示す情報として、チューナ部１０２，１０３を電源ＯＦＦ状態にする制御情報を制御部１１１に伝える。制御部１１１は、電源供給部１０９に対して、チューナ部１０２，１０３を電源ＯＦＦ状態にする指示を出し、受電電力の供給制御を行う。電源供給部１０９は、受電部１０８による受電電力をチューナ部１０２，１０３のいずれにも供給しないように、電源スイッチをＯＮ／ＯＦＦ制御する。
【００３０】
続いて、ステップＳ３０８で、制御部１１１は、電力比較部１１０による比較結果に基づいて、メッセージ生成部１１５に対して「受電電力が足りないため、地上デジタル放送およびワンセグ放送を受信できません。」等のメッセージを生成する指示を出す。メッセージ生成部１１５は、制御部１１１からの指示に従って上記メッセージを生成して、表示部１１２に一定期間だけ出力する。
【００３１】
以上のように、この実施の形態１では、受電部１０８による受電電力量に応じてチューナ部１０２，１０３の電源ＯＮ／ＯＦＦ制御を行う。これにより、送電装置からの受電電力量に応じて、適切な放送受信の形態で動作することが可能となる。また、放送受信装置１００の消費電力量が受電電力量未満に抑えられるため、放送受信装置１００のシステムがダウンしてしまうことなく、常に安定動作するように制御される。また、受電電力が十分に大きい場合は消費電力が大きいチューナ部を用いるため、高画質・高ビットレートの放送視聴を楽しむことができる。
【００３２】
なお、本実施の形態では、制御部１１１がチューナ部１０２，１０３を電源ＯＮ／ＯＦＦ制御する構成を例に挙げたが、チューナ部１０２，１０３を電源ＯＦＦ状態にする代わりに待機状態にしてもよい。また、電力比較部１１０が用いる閾値Ｖ１，Ｖ２は、チューナ部１０２，１０３の消費電力より十分に高い値としてもよい。また、チューナ部１０２，１０３の動作状態が頻繁に切り替えられないように、電力比較部１１０が用いる閾値Ｖ１，Ｖ２にヒステリシスをもたせてもよい。また、電力比較部１１０が制御テーブル５００を用いる構成について説明したが、放送受信装置１００の各ブロックの消費電力を計測し、計測結果と受電電力を比較する構成であってもよい。
【００３３】
また、チューナ部の数が２つの場合を例示したが、チューナ部の数が３つ以上の場合であっても、受電部１０８による受電電力量に応じてチューナ部の動作状態を制御をすることで同様の効果が得られる。また、非接触電力伝送方式を例示したが、例えば太陽光を電力に変換する太陽電池を用いた電力受電方式や、内蔵・外付け問わず発電装置等を用いても、受電電力量もしくは発電量に応じて同様の制御を行える。
【００３４】
（実施の形態２）
図４は、本発明の実施の形態２に係る放送受信装置６００の構成を示すブロック図である。図４の放送受信装置６００と図１（Ａ）の放送受信装置１００とを比較して、番組情報記憶部６０１および番組判定部６０２が追加されている点が異なる。また、電力比較部１１０、制御部１１１およびメッセージ生成部１１５が、それぞれ電力比較部６０３、制御部６０４およびメッセージ生成部６０５に置換されている点が異なる。なお、実施の形態１で説明したブロックと同様の機能を有するブロックについては、同一の符号を付し、説明は省略する。放送受信装置６００は、送電装置２００から非接触電力伝送方式で送電された電力で駆動する。
【００３５】
番組情報記憶部６０１は、データ処理部１０６により取得された番組情報（番組名、放送日時、番組内容等の情報）を記憶する。具体的には、チューナ部１０２の電源ＯＮ時には、チューナ部１０２により受信されている地上デジタル放送の番組コンテンツの番組情報を記憶する。また、チューナ部１０３の電源ＯＮ時には、チューナ部１０３により受信されているワンセグ放送の番組コンテンツの番組情報を記憶する。さらに、チューナ部１０２により受信される地上デジタル放送の一週間分の番組情報、およびチューナ部１０３により受信されるワンセグ放送の一週間分の番組情報を定期的に受信して記憶する。
【００３６】
番組判定部６０２は、番組情報記憶部６０１に保持された地上デジタル放送の番組情報とワンセグ放送の番組情報とを比較して、同じ（若しくは同等の）内容の番組コンテンツがサイマル放送（サイマルキャスト放送）されているか否かを判定する。制御部６０４は、番組判定部６０２による判定結果に基づいて、メッセージ生成部６０５に適切なメッセージを生成させるように制御する。
【００３７】
電力比較部６０３は、放送受信装置６００の電源起動後に所定時間間隔（例えば、数秒間隔）で繰り返して、受電部１０８から単位時間当たりの受電電力量を示す情報を受け取る。そして、テーブル記憶部１１４に格納されている制御テーブル５００を参照して、受電電力量を閾値３．１Ｗおよび４Ｗと比較する。この電力比較部６０３は、受電電力量が閾値３．１Ｗ未満の状態、受電電力量が閾値３．１Ｗ以上かつ閾値４Ｗ未満の状態、受電電力量が閾値４Ｗ以上の状態の間で、状態が変化した場合に、比較結果を示す情報を制御部６０４に伝える。ここで、比較結果を示す情報とは、チューナ部１０２，１０３の電源ＯＮ／ＯＦＦ制御情報である。
【００３８】
制御部６０４は、電力比較部６０３による比較結果を示す情報に基づき、電源供給部１０９の電源スイッチをＯＮ／ＯＦＦ制御する指示を出し、チューナ部１０２，１０３の電源ＯＮ／ＯＦＦ制御を行う。このように、制御部６０４は、受電部１０８による受電電力の供給制御を行う。電源供給部１０９は、受電部１０８で受電された電力を受け、制御部６０４からの指示に従って、チューナ部１０２，１０３および電源が必要な各ブロックへ供給する。また、制御部６０４は、チューナ部１０２，１０３と信号分離部１０４に対し、選局処理およびチューナの初期化制御を行う。また、この制御部６０４は、電力比較部６０３による比較結果に基づいて、メッセージ生成部６０５に対して各種メッセージを生成する指示を出す。メッセージ生成部６０５は、制御部６０４からの指示に従って各種メッセージを生成して表示部１１２に出力する。
【００３９】
次に、図４に示した電力比較部６０３および制御部６０４の動作について詳細に説明する。図５は、電力比較部６０３および制御部６０４の動作について説明するためのフローチャートである。なお、図５に示す動作は、放送受信装置６００の電源起動後に所定時間間隔（例えば、数秒間隔）で繰り返して実行されるものとする。
【００４０】
まず、ステップＳ７０１で、電力比較部６０３は、受電部１０８から単位時間当たりの受電電力量を示す情報を取得する。そして、ステップＳ７０２で、テーブル記憶部１１４に格納されている制御テーブル５００を参照して、受電電力量を閾値Ｖ１（＝３．１Ｗ）およびＶ２（＝４Ｗ）と比較する。ここで、受電電力量が閾値Ｖ１（＝３．１Ｗ）以上かつ閾値Ｖ２（＝４Ｗ）未満の状態から、受電電力量が閾値Ｖ２（＝４Ｗ）以上の状態へ変化したか否かを判定する。上記のように状態が変化したと判定された場合は、ステップＳ７０３に進む。
【００４１】
ステップＳ７０３で、番組判定部６０２は、番組情報記憶部６０１に保持された地上デジタル放送の番組情報とワンセグ放送の番組情報とを比較して、同じ（若しくは同等の）内容の番組コンテンツがサイマル放送されているか否かを判定する。ここで、サイマル放送がされていないと判定された場合は、ステップＳ７０４に進む。ステップＳ７０４で、制御部６０４は、メッセージ生成部６０５に対して「受電電力が増加したため、地上デジタル放送を視聴できますが、サイマル放送の番組コンテンツはありません。」等のメッセージを生成する指示を出す。メッセージ生成部６０５は、制御部６０４からの指示に従って上記メッセージを生成して、表示部１１２に一定期間だけ出力する。この場合、制御部１１１は、チューナ部１０２を電源ＯＦＦ状態かつチューナ部１０３を電源ＯＮ状態にし続けるので、チューナ部１０３で受信されたワンセグ放送信号に係る映像が表示部１１２に表示され続ける。
【００４２】
一方、ステップＳ７０３で、サイマル放送がされていると判定された場合は、ステップＳ７０５に進む。ステップＳ７０５で、制御部６０４は、電源供給部１０９に対して、チューナ部１０２を電源ＯＦＦ状態から電源ＯＮ状態へ切り替え、かつチューナ部１０３を電源ＯＮ状態から電源ＯＦＦ状態へ切り替える指示を出し、受電電力の供給制御を行う。電源供給部１０９は、受電部１０８による受電電力のチューナ部１０２への供給を開始し、チューナ部１０３への供給を停止するように、電源スイッチをＯＮ／ＯＦＦ制御する。
【００４３】
次に、ステップＳ７０６で、制御部６０４は、番組情報記憶部６０１に保持された番組情報を参照して、サイマル放送の番組コンテンツを受信するようにチューナ部１０２を選局制御する。具体的には、チューナ部１０３で選局されていたワンセグ放送の番組コンテンツと同じ（若しくは同等の）内容の、地上デジタル放送の番組コンテンツのチャンネルを選局するように制御する。
【００４４】
ステップＳ７０７で、制御部６０４は、メッセージ生成部６０５に対して「受電電力が増加したため、ワンセグ放送から地上デジタル放送へ切り替えました。サイマル放送の番組コンテンツを表示しています。」等のメッセージを生成する指示を出す。メッセージ生成部６０５は、制御部６０４からの指示に従って上記メッセージを生成して、表示部１１２に一定期間だけ出力する。
【００４５】
また、上述のステップＳ７０２で、受電電力量が閾値Ｖ１（＝３．１Ｗ）以上かつ閾値Ｖ２（＝４Ｗ）未満の状態から、受電電力量が閾値Ｖ２（＝４Ｗ）以上の状態へ変化したと判定されなかった場合は、ステップＳ７０８に進む。そして、ステップＳ７０８で、電力比較部６０３は、受電電力量が閾値Ｖ２（＝４Ｗ）以上の状態から、受電電力量が閾値Ｖ１（＝３．１Ｗ）以上かつ閾値Ｖ２（＝４Ｗ）未満の状態へ変化したか否かを判定する。上記のように状態が変化したと判定された場合は、ステップＳ７０９に進む。
【００４６】
ステップＳ７０９で、番組判定部６０２は、番組情報記憶部６０１に保持された地上デジタル放送の番組情報とワンセグ放送の番組情報とを比較して、同じ（若しくは同等の）内容の番組コンテンツがサイマル放送されているか否かを判定する。ここで、サイマル放送がされていないと判定された場合は、ステップＳ７１０に進む。ステップＳ７１０で、制御部６０４は、電源供給部１０９に対して、チューナ部１０２を電源ＯＮ状態から電源ＯＦＦ状態へ切り替える指示を出し、受電電力の供給制御を行う。電源供給部１０９は、受電部１０８による受電電力をチューナ部１０２，１０３のいずれにも供給しないように、電源スイッチをＯＮ／ＯＦＦ制御する。続いて、ステップＳ７１１で、制御部６０４は、メッセージ生成部６０５に対して「受電電力が足りないため、地上デジタル放送を受信できません。サイマル放送の番組コンテンツはありません。」等のメッセージを生成する指示を出す。メッセージ生成部６０５は、制御部６０４からの指示に従って上記メッセージを生成して、表示部１１２に一定期間だけ出力する。この場合、チューナ部１０２，１０３の両方が電源ＯＦＦ状態となるので、上記メッセージが表示部１１２に一定期間だけ表示された後、放送受信装置６００の電源をシャットダウンする。
【００４７】
一方、ステップＳ７０９で、サイマル放送がされていると判定された場合は、ステップＳ７１２に進む。ステップＳ７１２で、制御部６０４は、電源供給部１０９に対して、チューナ部１０２を電源ＯＮ状態から電源ＯＦＦ状態へ切り替え、かつチューナ部１０３を電源ＯＦＦ状態から電源ＯＮ状態へ切り替える指示を出す。電源供給部１０９は、受電部１０８による受電電力のチューナ部１０２への供給を停止し、チューナ部１０３への供給を開始するように、電源スイッチをＯＮ／ＯＦＦ制御する。
【００４８】
次に、ステップＳ７１３で、制御部６０４は、番組情報記憶部６０１に保持された番組情報を参照して、サイマル放送の番組コンテンツを受信するようにチューナ部１０３を選局制御する。具体的には、チューナ部１０２で選局されていた地上デジタル放送の番組コンテンツと同じ（若しくは同等の）内容の、ワンセグ放送の番組コンテンツのチャンネルを選局するように制御する。
【００４９】
ステップＳ７１４で、制御部６０４は、メッセージ生成部６０５に対して「受電電力が足りないため、地上デジタル放送からワンセグ放送へ切り替えました。サイマル放送の番組コンテンツを表示しています。」等のメッセージを生成する指示を出す。メッセージ生成部６０５は、制御部６０４からの指示に従って上記メッセージを生成して、表示部１１２に一定期間だけ出力する。
【００５０】
以上のように、この実施の形態２では、受電電力量が変化した場合に、受電部１０８による受電電力量に応じてチューナ部１０２，１０３の電源ＯＮ／ＯＦＦ制御を行う。これにより、送電装置からの受電電力量に応じて、適切な放送受信の形態で動作することが可能となる。また、サイマル放送の番組コンテンツがある場合には、サイマル放送の番組コンテンツを表示するようにしたことにより、同じ（若しくは同等の）内容の番組コンテンツを視聴し続けることができる。
【００５１】
なお、ステップＳ７０６，７１０で、制御部６０４がチューナ部１０２，１０３を選局制御する際には、上述のチャンネルリストを用いずに、同じ周波数の地上デジタル放送又はワンセグ放送のチャンネルを選局するようにしてもよい。
【００５２】
また、チューナ部１０２は地上デジタル放送に対応したチューナモジュールであり、チューナ部１０３はワンセグ放送に対応したチューナモジュールであることに限定されるものではない。サイマル放送が行われる組合せであれば、例えば、衛星デジタル放送とワンセグ放送との組合せや、地上デジタル放送と衛星デジタル放送との組合せ、地上デジタル放送とインターネット放送との組合せ等であってもよい。
【００５３】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５４】
１００  放送受信装置
１０１  放送受信アンテナ
１０２，１０３  チューナ部
１０４  信号分離部
１０５  映像出力部
１０６  データ処理部
１０７  受電アンテナ
１０８  受電部
１０９  電源供給部
１１０  電力比較部
１１１  制御部
１１２  表示部
１１３  リモコン受信部
１１４  テーブル記憶部
１１５  メッセージ生成部
【図１】
2011109328.tif 000003
【図２】
2011109328.tif 000004
【図３】
2011109328.tif 000005
【図４】
2011109328.tif 000006
【図５】
2011109328.tif 000007